(57)【特許請求の範囲】
【請求項１】
複数のデータ処理を同時に行うデータ処理装置であって、
受信信号に対してデータ処理を行う第１処理部と、
この第１処理部とは異なる他のデータ処理を行う第２処理部と、
前記第１処理部および前記第２処理部のうちの一方の処理の内容に応じて、前記第１処理部および前記第２処理部のうち少なくとも一方の処理の内容を変更させる制御部と
を備え、
前記第１処理部は、
前記データ処理を行う第１データ処理部と、
特定の処理が行われたか否かを判断する第１判断部と、
この第１判断部により特定の処理が行われたと判断されると、前記制御部に前記特定の処理に関する通知を出す第１通知部と
を備え、
前記第１判断部は、前記特定の処理として、緊急連絡すべき事項に関するデータからなる速報データを含む前記受信信号を受信したか否かを判断し、
前記第２処理部は、
前記他のデータ処理を行う第２データ処理部と、
特定の処理が行われたか否かを判断する第２判断部と、
この第２判断部により特定の処理が行われたと判断されると、前記制御部に前記特定の処理に関する通知を出す第２通知部と
を備え、
前記制御部は、前記第１通知部からの通知に基づいて、前記第２処理部の処理の内容を変更させる第２処理制御部と、前記第２通知部からの通知に基づいて、前記第１処理部の処理の内容を変更させる第１処理制御部とを備え、
前記第２データ処理部は、前記他のデータ処理としてメーラー機能を実現する処理を行い、
前記第２判断部は、前記特定の処理として電子メールの編集が行われたか否かを判断し、
前記第２処理制御部は、前記第１判断部により前記速報データを含む前記受信信号を受信したことが検出されると、前記第２の処理部による前記他のデータ処理を停止させる
ことを特徴とするデータ処理装置。
【請求項２】
前記第１処理部および前記第２処理部によるデータ処理の内容を表示する表示部
をさらに備え、
前記制御部は、前記表示部に表示させる前記第１処理部および前記第２処理部によるデータ処理の内容の表示サイズを変更する
ことを特徴とする請求項１記載のデータ処理装置。
【請求項３】
前記制御部は、前記第２判断部により特定の処理が行われたと判断されると、前記特定の処理の内容に基づいて、前記第２の処理部の処理の内容を変更させる第２処理制御部をさらに備える
ことを特徴とする請求項１記載のデータ処理装置。
【請求項４】
前記第１データ処理部は、前記受信信号として放送データに対する処理を行い、
前記第１処理制御部は、前記第２通知部からの通知に基づいて、前記第１処理部にチャネルの変更処理を行わせる
ことを特徴とする請求項１記載のデータ処理装置。
【発明の詳細な説明】
【技術分野】
【０００１】
本発明は、複数のデータ処理を同時に並行して行えるデータ処理装置に関するものである。
【背景技術】
【０００２】
近年の情報化社会においては、氾濫する膨大な情報を如何に効率よく処理するかが課題となっている。この課題を解決するために、複数のデータ処理を同時に並行して行うことがなされている。これは、画像の表示装置にとっても例外ではない。例えば、特許文献１には、複数の異なるテレビジョン信号を受信し、それぞれを重ねて表示することが開示されている。また、特許文献２には、多数のテレビジョン信号による画像を同時に多数表示するマルチ画面同時表示が開示されている。これらにより、ユーザは、同時に多数の情報を取得することが可能となっている。
【０００３】
【特許文献１】特開２００５−０２０２７９号公報
【特許文献２】特開２００１−１７５２３９号公報
【特許文献３】特開２００１−２７３２５５号公報
【特許文献４】特開２００２−２９７６５３号公報
【特許文献５】特開２００４−１２７１２８号公報
【発明の開示】
【発明が解決しようとする課題】
【０００４】
しかしながら、通常ユーザは何れか１つの物事にしか注目できないため、単に複数の処理を同時に行って複数の情報を提示するだけでは、必ずしもユーザが利益を得られるとは限らない。また、注目している処理を見るのに他の処理が邪魔になったり、注目していない処理のために時間やコストが費やされたりするなど、場合によっては、ユーザが不利益を被ることもある。このため、複数の処理を同時に行う場合であっても、ユーザにとって使いやすいデータ処理装置が望まれていた。
【０００５】
そこで、本発明は上述した課題を解決するためになされたものであり、複数の処理を同時に行っている場合においても、ユーザにとって使いやすいデータ処理装置を提供することを目的とする。
【課題を解決するための手段】
【０００６】
上述したような課題を解消するために、本発明に係るデータ処理装置は、複数のデータ処理を同時に行うデータ処理装置であって、受信信号に対してデータ処理を行う第１処理部と、この第１処理部とは異なる他のデータ処理を行う第２処理部と、第１処理部および第２処理部のうちの一方の処理の内容に応じて、第１処理部および第２処理部のうち少なくとも一方の処理の内容を変更させる制御部とを備え、第１処理部は、データ処理を行う第１データ処理部と、特定の処理が行われたか否かを判断する第１判断部と、この第１判断部により特定の処理が行われたと判断されると、制御部に特定の処理に関する通知を出す第１通知部とを備え、制御部は、第１通知部からの通知に基づいて、第２処理部の処理の内容を変更させる第２処理制御部を備え、第１判断部は、特定の処理として、受信信号に速報データが含まれているか否かを判断することを特徴とする。
【０００９】
また、上記データ処理装置において、前記第１データ処理部は、前記受信信号として放送データに対する処理を行い、前記第１判断部は、前記特定の処理として、チャネルの変更が行われたか否かを判断するようにしてもよい。
【００１０】
また、上記データ処理装置において、第１処理部および第２処理部によるデータ処理の内容を表示する表示部をさらに備え、制御部は、表示部に表示させる第１処理部および第２処理部によるデータ処理の内容の表示サイズを変更するようにしてもよい。
【００１１】
また、上記データ処理装置において、第２処理部は、他のデータ処理を行う第２データ処理部と、特定の処理が行われたか否かを判断する第２判断部と、この第２判断部により特定の処理が行われたと判断されると、制御部に特定の処理に関する通知を出す第２通知部とを備え、制御部は、第２通知部からの通知に基づいて、第１処理部の処理の内容を変更させる第１処理制御部を備えるようにしてもよい。ここで、制御部は、第２判断部により特定の処理が行われたと判断されると、特定の処理の内容に基づいて、第２の処理部の処理の内容を変更させる第２処理制御部をさらに備えるようにしてもよい。また、第２データ処理部は、他のデータ処理としてメーラー機能を実現する処理を行い、第２判断部は、特定の処理として電子メールの編集が行われたか否かを判断するようにしてもよい。
【００１２】
また、上記データ処理装置において、前記第２処理部は、前記他のデータ処理を行う第２データ処理部と、特定の処理が行われたか否かを判断する第２判断部と、この第２判断部により特定の処理が行われたと判断されると、前記制御部に前記特定の処理に関する通知を出す第２通知部とを備え、前記第１データ処理部は、前記受信信号として放送データに対する処理を行い、前記第１処理制御部は、前記第２通知部からの通知に基づいて、前記第１処理部にチャネルの変更処理を行わせるようにしてもよい。
【発明の効果】
【００１３】
本発明によれば、第１処理部および第２処理部の一方の処理の内容に応じて、第１処理部および第２処理部のうち少なくとも一方の処理の内容を変更することにより、ユーザの動作や関心事に応じて処理の内容を変更するなどユーザに配慮した処理が可能となるので、ユーザにとって使いやすい。
【発明を実施するための最良の形態】
【００１４】
［第１の実施の形態］
以下、図面を参照して、本発明の第１の実施の形態に係るデータ処理装置１について説明する。
【００１５】
［データ処理装置１の構成］
図１に示すように、本実施の形態に係るデータ処理装置１は、主制御部１０と、送受信部２０と、操作入力部３０と、表示部４０と、記憶部５０と、第１処理部６０と、第２処理部７０とから構成される。このようなデータ処理装置１は、例えば、携帯電話機、ＰＤＡ(Personal Digital Assistant)、計算機、画像表示装置、ナビゲーションシステムなど、テレビジョン信号等の放送信号を受信して表示することができる装置であるならば、各種装置に適用することができる。
【００１６】
主制御部１０は、送受信部２０、操作入力部３０、表示部４０、記憶部５０、第１処理部６０および第２処理部７０に対して動作の指示を出すことにより、データ処理装置１全体の動作を制御する。これにより、第１処理部６０による第１のデータ処理と、第２処理部７０による第２のデータ処理が同時に並行して行われる。
【００１７】
送受信部２０は、通信回線を介して外部と各種情報の送受信を行う。また、アンテナ等を介してラジオやテレビジョン信号等の放送データを受信し、この受信信号を復調する。上記各種情報や受信信号は、主制御部１０に入力される。
【００１８】
操作入力部３０は、入力装置を介してユーザの操作入力に関する操作情報を取得する。この操作情報は、主制御部１０に入力される。
【００１９】
表示部４０は、主制御部１０の指示に基づいて、各種情報を表示装置に表示させる。
【００２０】
記憶部５０は、データ処理装置１の動作に関する各種情報を記憶する。
【００２１】
第１処理部６０は、第１のデータ処理として、受信信号に基づく画像を表示部４０に表示させるための放送データ処理を行う。また、第１処理部６０または第２処理部７０において、特定のデータ処理、特定の操作入力の検出や特定の情報の受信（以下、「特定処理」と呼ぶ）が行われると、上記画像の拡大、縮小、消去、速報データの表示等の特定処理に対応した処理を行う。このような第１処理部６０は、第１処理制御部６１と、第１データ処理部６２と、第１判断部６３と、第１通知部６４と、第１受信部６５とを備える。なお、放送データ処理において、画像とともに、音声、字幕データ、データ放送データに含まれる文字図形データや音声データ等も出力するようにしてもよい。
【００２２】
第１処理制御部６１は、第１データ処理部６２、第１判断部６３および第１通知部６４の動作内容や第１受信部６５が受信した情報に基づいて各構成要素に各種指示を出すことにより、第１処理部６０全体の動作を制御して、放送データ処理や特定処理に対応する処理等を実現する。
【００２３】
第１データ処理部６２は、受信信号に対して信号処理を行って画像データ（以下、「放送画像データ」と呼ぶ）を生成する。この放送画像データは、表示部４０に送出され、表示装置に表示される。放送画像データは、動画、静止画、テキストデータなどからなる。
【００２４】
第１判断部６３は、受信信号の内容、第１データ処理部６２で行われているデータ処理の内容、操作入力部３０により検出されたユーザによる操作入力の内容等を監視し、特定処理が行われているか否かを監視する。特定処理が行われていることを検出すると、その特定処理の内容について第１通知部６４に通知する。
【００２５】
第１通知部６４は、第１判断部６３により検出された特定処理の内容を、第２処理部７０に通知する。なお、検出された特定処理は、第１処理制御部６１にも通知されるようにしてもよい。
【００２６】
第１受信部６５は、送受信部２０、操作入力部３０、記憶部５０および第２処理部７０から特定処理の通知等の各種情報を受信し、この情報を第１処理制御部６１に入力する。なお、受信した情報は、第１判断部６３にも入力される。
【００２７】
第２処理部７０は、第２のデータ処理として、例えば、通信機能、メーラー機能、通話機能、ブラウザ機能、ナビゲーション機能など第１処理部６０による放送データ処理以外の特定の機能を実現するデータ処理を行う。また、第１処理部６０または第２処理部７０において、特定処理が行われると、この特定処理に対応する処理を行う。このような第２処理部７０は、第２処理制御部７１と、第２データ処理部７２と、第２判断部７３と、第２通知部７４と、第２受信部７５とを備える。
【００２８】
第２処理制御部７１は、第２データ処理部７２、第２判断部７３および第２通知部７４の動作内容や第２受信部７５が受信した情報に基づいて各構成要素に各種指示を出すことにより、第２処理部７０全体の動作を制御して、第２のデータ処理や特定の処理に対応する処理を実現する。
【００２９】
第２データ処理部７２は、第２のデータ処理に対応する特定のデータ処理を行う。
【００３０】
第２判断部７３は、第２データ処理部７２で行われているデータ処理の内容、操作入力部３０により検出されたユーザによる操作入力の内容等を監視し、特定処理が行われているか否かを監視する。特定処理が行われていることを検出すると、その特定処理の内容について第２通知部７４に通知する。
【００３１】
第２通知部７４は、第２判断部７３により検出された特定処理の内容を、第１処理部６０に通知する。なお、検出された特定処理は、第２処理制御部７１にも通知するようにしてもよい。
【００３２】
第２受信部７５は、送受信部２０、操作入力部３０、記憶部５０および第１処理部６０から特定処理の通知等の情報を受信し、この情報第２処理制御部７１に入力する。なお、受信した情報は、第２判断部７３にも入力される。
【００３３】
このようなデータ処理装置１は、ＣＰＵ(Central Processing Unit)等の演算装置と、メモリ、ＨＤＤ(Hard Disc Drive)等の記憶装置と、キーボード、マウス、ポインティングデバイス、ボタン、タッチパネル、ジョグシャトル、スライディングパッド等の外部から情報の入力を検出する入力装置と、インターネット、ＬＡＮ(Local Area Network)、ＷＡＮ(Wide Area Network)、電話回線、無線通信等の通信回線や放送信号を介して各種情報の送受信を行うＩ/Ｆ装置と、ＣＲＴ(Cathode Ray Tube)、ＬＣＤ(Liquid Crystal Display)またはＦＥＤ(Field Emission Display)等の表示装置を備えたコンピュータと、このコンピュータにインストールされたプログラムとから構成される。すなわちハードウェア装置とソフトウェアとが協働することによって、上記のハードウェア資源がプログラムによって制御され、上述した主制御部１０、送受信部２０、操作入力部３０、表示部４０、記憶部５０、第１処理部６０、第２処理部７０が実現される。なお、上記プログラムは、フレキシブルディスク、ＣＤ−ＲＯＭ、ＤＶＤ−ＲＯＭ、メモリカードなどの記録媒体に記録された状態で提供されるようにしてもよい。
【００３４】
［データ処理装置１の動作］
次に、本実施の形態に係るデータ処理装置１の動作について説明する。なお、本実施の形態では、第１のデータ処理として放送データ処理、第２のデータ処理としてメーラーとしての機能を実現するメール処理を行う場合を例に説明する。このメール処理とは、受信した電子メールの表示、送信済みの電子メールの表示、編集中の電子メール本文の表示、電子メールの送受信等を行うことを意味する。なお、放送データ処理とメール処理とは、同時に並行して行われているものとする。
【００３５】
＜放送データ処理＞
まず、図２を参照して、第１のデータ処理である放送データ処理を行う第１処理部６０の動作について説明する。
【００３６】
ユーザによる入力装置に対する操作入力によりテレビジョン信号等の受信信号の表示を要求する指示を操作入力部３０が検出すると、第１処理部６０の第１処理制御部６１は、第１データ処理部６２に指示を出し、受信信号に基づく画像データを表示装置に表示させる（ステップＳ２０１）。このとき、第２処理部７０では、メール処理が第１処理部６０による放送データ処理と同時に並行して行われている。メール処理を行うための表示画面領域を表す画像データ（以下、「メール画像データ」と呼ぶ）は、放送画像データと併せて表示装置に表示される。例えば、図３（ａ）に示すように、データ処理装置１の表示装置では、符号ａで示す表示装置の上側半分の領域には放送画像データ、符号ｂで示す表示装置の下側半分の領域にはメール画像データが表示される。通常、放送画像データとメール画像データが表示される領域は、同等の面積となっている。
【００３７】
放送データ処理動作中、第１判断部６３は、受信信号に速報データが含まれているか否かを確認する（ステップＳ２０２）。この速報データとは、例えば、地震速報、緊急ニュース等の放送局側から視聴者に緊急連絡すべき事項に関するデータであり、通常の放送データの一部として、映像データ、音声データ、または、データ放送データなどとして伝送される。このような速報データの確認は、例えば、受信信号のヘッダーに速報データを示すフラグが立っているか否かを確認することにより行うことができる。また、例えば、速報データを現す特定の音声の再生、放送データから速報データを表す特定の画像や音声、文字データの認識等が行われたか否かを検出することにより行うようにしてもよい。
【００３８】
速報データを受信した場合（ステップＳ２０２：ＹＥＳ）、第１判断部６３は、第１通知部６４に速報データを受信した旨を示す速報データ通知を第２処理部７０へ通知させる（ステップＳ２０３）。この通知に基づいて、第２処理部７０は、後述するメール処理のステップＳ４０４により、メール画像データを縮小させる。また、第１処理制御部６１は、速報データの受信に対応して第１データ処理部６２に速報データに基づく画像データ（以下、「速報画像データ」と呼ぶ）を生成させ、これを表示装置に表示させる（ステップＳ２０４）。この速報画像データは、速報データに関連したデータのみを表すものでなくてもよい。例えば、データ放送データを表示する領域や字幕データを表示する領域など、放送データのうち速報データを含む部分であってもよい。表示装置には、放送画像データおよびメール画像データとともに速報画像データが表示される。例えば、図３（ｂ）に示すように、データ処理装置１の表示装置には、符号ａで示す上側の領域に放送画像データ、符号ｂで示す中央の領域に速報画像データ、符号ｃで示す下側の領域に縮小されたメール画像データが表示される。このように、速報データを受信した場合には、その速報データに関する速報画像データを表示させることにより、ユーザの注意を速報画像データに向けさせ、速報画像データを見逃さないようにさせることができる。なお、図３では、速報画像データが独立した表示領域を有するために、新たな表示領域を確保する場合を例に説明したが、例えば、映像データに速報データが含まれる場合には、もともと表示している映像データを表す放送画像データの領域を拡大し、メール画像データを縮小するようにしてもよい。
【００３９】
速報画像データの表示を継続する時間は、速報データの受信をしている間や速報データの受信を終了してから所定の時間経過後までなど、適宜自由に設定することができる。速報画像データの表示が終了すると、第１処理制御部６１は、ステップＳ２０１に戻る。
【００４０】
速報データを受信していない場合（ステップＳ２０２：ＮＯ）、第１判断部６３は、第１受信部６５が第２処理部７０から非表示処理通知を受信したか否かを確認する（ステップＳ２０５）。非表示処理通知とは、メール処理の終了等によりメール画像データの表示を終了することを意味する。なお、第２処理部７０による非表示処理通知の通知は、後述するステップＳ４０８に対応する。
【００４１】
第１判断部６３により非表示処理通知を受信したことが検出されると（ステップＳ２０５：ＹＥＳ）、第１処理制御部６１は、非表示処理通知の受信に対応して第１データ処理部６２に放送画像データを拡大して生成させ、放送画像データを表示装置の画面全体に表示させる（ステップＳ２０６）。この放送画像データの拡大は、例えば、表示させる情報量はそのままで文字や画像のサイズを大きくしたり、文字や画像のサイズはそのままで表示させる情報量を増やしたりすることにより行われる。このように、第２処理部７０でデータ処理が行われない場合、第１処理部６０による放送画像データのみを表示装置に表示させることにより、ユーザの注目を放送画像データに集めることができる。これにより、ユーザは、関心のある情報を効果的に取得することができる。
【００４２】
拡大した放送画像データの生成は、速報データの受信や第２処理部７０によるメール処理等が行われるまで継続して行われる。
【００４３】
非表示処理通知を受信していない場合（ステップＳ２０５：ＮＯ）、第１判断部６３は、第１受信部６５が操作入力部３０からユーザによる放送データ処理終了の指示を受信したか否かを確認する（ステップＳ２０７）。
【００４４】
第１判断部６３により放送データ処理の終了が要求されたことが検出されると（ステップＳ２０７：ＹＥＳ）、第１処理制御部６１は、第１データ処理部６２に放送画像データの生成を終了させる。この終了に伴って、第１判断部６３は、第１通知部６４に第２処理部７０へ放送データ処理を終了することを意味する非表示処理通知を通知させる（ステップＳ２０８）。これにより、第１処理部６０による放送データ処理が終了する。
【００４５】
放送データ処理終了の指示を受信していない場合（ステップＳ２０７：ＮＯ）、第１処理制御部６１は、ステップＳ２０１に戻り、放送データ処理を継続して行う。
【００４６】
このように、本実施の形態によれば、受信信号の内容や第２処理部７０のデータ処理の内容に基づいて、速報画像データを表示させたり、放送画像データを拡大して表示させることにより、ユーザの関心に配慮した情報が効果的に提供されるので、ユーザにとって使いやすい。
【００４７】
＜メール処理＞
次に、図４を参照して、第２のデータ処理であるメール処理を行う第２処理部７０の動作について説明する。
【００４８】
ユーザの操作入力によりメール処理を要求する指示を操作入力部３０が検出すると、第２処理部７０の第２処理制御部７１は、第２データ処理部７２に指示を出し、メール画像データを生成させ、これを表示装置に表示させる（ステップＳ４０１）。このとき、第１処理部６０では、上述した放送データ処理が行われている。したがって、データ処理装置１の表示装置には、図３（ａ）に示すように、放送画像データとメール画像データとが併せて表示される。
【００４９】
メール処理動作中、第２判断部７３は、第２受信部７５が第１処理部６０から速報データ通知を受信したか否かを確認する（ステップＳ４０２）。
【００５０】
第２判断部７３により速報データ通知を受信したことが検出されると（ステップＳ４０２：ＹＥＳ）、第２処理制御部７１は、操作入力部３０からのユーザによる操作入力に関する情報の受け付けを抑止する（ステップＳ４０３）。すると、操作入力がメール画像データに反映されないので、ユーザは、速報データ等のメール処理以外の処理が行われていると認識する。これにより、ユーザの注意をメール処理以外の処理に向けさせることができる。
【００５１】
また、第２処理制御部７１は、第２データ処理部７２にメール画像データを縮小して生成させ、通常よりもメール画像データを小さく表示装置の画面に表示させる（ステップＳ４０４）。このメール画像データの縮小は、例えば、表示させる情報量はそのままで文字や画像のサイズを小さくしたり、文字や画像のサイズはそのままで表示させる情報量を減らすことにより行われる。このようにメール画像データを縮小することにより、データ処理装置１の表示装置において、速報画像データを表示させる領域を生成する。このとき、第１処理部６０では、上述したように放送画像データとともに速報画像データが作成されている。したがって、図３（ｂ）に示すように、放送画像データ（符号ａの領域）およびメール画像データ（符号ｂの領域）とともに、速報画像データ（符号ｃの領域）がデータ処理装置１の表示装置に表示される。このように、メール画像データを縮小して表示させたり、ユーザの操作入力を抑制したりすることにより、ユーザの関心を速報データに向けさせることができる。結果として、ユーザの関心が高い情報をユーザに効果的に提供することができる。
【００５２】
ユーザの操作入力を抑止やメール画像データを縮小を継続する時間は、速報データ通知の受信している間や速報データ通知の受信を終了してから所定の時間経過後までなど、適宜自由に設定することができる。速報データ通知の受信が終了したり、上記所定の時間が経過したりすると、第２処理制御部７１は、ステップＳ４０１に戻る。
【００５３】
なお、本実施の形態では、ステップＳ４０３とステップＳ４０４の両方の処理を行うようにしたが、何れか一方のみを行うようにしてもよい。例えば、ユーザの操作入力を受け付けないようにした場合、ユーザは、メール本文の入力等のために入力装置を操作してもメール本文の作成が行われないので、メール処理を行おうとしていたユーザの利便性を損なう可能性があるため、ステップＳ４０３の処理は行わずにステップＳ４０４の処理のみを行うようにしても、表示装置には放送画像データの表示が大きくなることで、ユーザは速報データに注意を払うこととなる。
【００５４】
速報データ通知を受信していない場合（ステップＳ４０２：ＮＯ）、第２判断部７３は、第２受信部７５が第１処理部６０から非表示処理通知を受信したか否かを確認する（ステップＳ４０５）。非表示処理通知とは、放送データ処理の終了等により放送画像データの表示を終了することを意味する。
【００５５】
第２判断部７３により非表示処理通知を受信したことが検出されると（ステップＳ４０５：ＹＥＳ）、第２処理制御部７１は、非表示処理通知に対応して第２データ処理部７２にメール画像データを拡大して生成させ、メール画像データを表示装置の画面全体に表示させる（ステップＳ４０６）。このメール画像データの拡大は、この放送画像データの拡大は、例えば、表示させる情報量はそのままで文字や画像のサイズを大きくしたり、文字や画像のサイズはそのままで表示させる情報量を増やしたりすることにより行われる。このように、第１処理部６０で放送データ処理が行われない場合、第２処理部７０によるメール画像データのみを表示装置に表示させることにより、ユーザの注目をメール画像データのみに向けさせることができる。これにより、ユーザは、関心のある情報を効果的に取得することができる。
【００５６】
拡大したメール画像データの生成は、第１処理部６０による放送データ処理等が行われるまで継続して行われる。
【００５７】
非表示処理通知を受信していない場合（ステップＳ４０５：ＮＯ）、第２判断部７３は、第２受信部７５が操作入力部３０からユーザによるメール処理終了の指示を受信したか否かを確認する（ステップＳ４０７）。
【００５８】
第２判断部７３によりメール処理終了の指示の受信が検出されると（ステップＳ４０７：ＹＥＳ）、第２処理制御部７１は、第２データ処理部７２にメール画像データの生成を終了させる。この終了に伴って、第２判断部７３は、第２通知部７４に第１処理部６０へメール処理を終了することを意味する非表示処理通知を通知させる（ステップＳ４０８）。これにより、第２処理部７０によるメール処理が終了する。
【００５９】
メール処理終了の指示を受信していない場合（ステップＳ４０７：ＮＯ）、第２処理制御部７１は、ステップＳ４０１に戻り、メール処理を継続して行う。
【００６０】
このように、本実施の形態によれば、第１処理部６０または第２処理部７０によるデータ処理の内容に応じて、操作入力部３０による入力の抑止、表示縮小、表示拡大等を行うことにより、ユーザの動作、関心、注目等に配慮した情報をユーザに効果的に提供することができる。結果として、本実施の形態に係るデータ処理装置１は、ユーザにとって使いやすい。
【００６１】
［第２の実施の形態］
次に、本発明の第２の実施の形態について説明する。本実施の形態は、第１のデータ処理として放送データ処理、第２のデータ処理としてメール処理を行うものである。したがって、本実施の形態において、上述した第１の実施の形態と同等の構成要素については同じ名称および符号を付し、適宜説明を省略する。
【００６２】
＜放送データ処理＞
まず、図５を参照して、第１のデータ処理である放送データ処理を行う第１処理部６０の動作について説明する。なお、第１処理部６０による放送データ処理と第２処理部７０によるメール処理とは、同時に並行して行われているものとする。
【００６３】
ユーザによる操作入力により放送データ処理開始の指示を操作入力部３０が検出すると、第１処理部６０の第１処理制御部６１は、第１データ処理部６２に指示を出し、放送画像データを表示装置に表示させる（ステップＳ５０１）。このとき、第２処理部７０では、メール処理が行われている。したがって、データ処理装置１の表示装置には、例えば、図６（ａ）に示すように、符号ａで示す表示装置の上側半分の領域には放送画像データ、符号ｂで示す表示装置の下側半分の領域にはメール画像データが表示される。
【００６４】
放送データ処理動作中、第１判断部６３は、第１受信部６５が第２処理部７０からメール書き込み通知を受信したか否かを確認する（ステップＳ５０２）。メール書き込み通知とは、ユーザが電子メールの本文を作成していることを第１処理部６０に通知するものである。
【００６５】
第１判断部６３によりメール書き込み通知を受信したことが検出されると（ステップＳ５０２：ＹＥＳ）、第１処理制御部６１は、メール書き込み通知の受信に対応して第１データ処理部６２に放送画像データを縮小して生成させ、表示装置に通常よりも放送画像データを小さく表示させる（ステップＳ５０３）。このとき、第２処理部７０では、後述するメール処理のステップＳ８０３により、メール画像データを拡大して生成している。したがって、データ処理装置１の表示装置には、例えば図６（ｂ）に示すように、図６（ａ）の符号ａで示す領域よりも小さい符号ｃで示す領域に放送画像データが、図６（ａ）の符号ｂで示す領域よりも大きい符号ｄで示す領域にメール画像データが表示される。このように、メールを書き込み中の場合にメール画像データを拡大して表示することにより、メール本文の文脈の把握が容易になったり、視認性が向上したりするので、放送画像データによりメール画像データが見づらくなるのを防ぐことができるので、ユーザにとって使いやすい。
【００６６】
また、第１処理制御部６１は、第１データ処理部６２に放送画像データのチャネルを変更させる（ステップＳ５０４）。すると、データ処理装置１の表示装置には、例えば図６（ｃ）で示すように、符号ｃで示す領域にチャネル変更中の表示がなされる。符号ｄで示す領域には、メール画像データが表示される。このように、放送画像データにユーザが注目していない状況でチャネルを変更することにより、ユーザに対して、他のチャネルの番組の内容や各チャネルの番組に関する情報を提供することができる。
【００６７】
なお、チャネルの変更は、所定の時間単位でチャネルを順次変更させたり、隣のチャネルに変更させたりするなど適宜自由に行うことができる。
【００６８】
上述した放送画像データの縮小やチャネルの変更を継続する時間は、例えば、第２処理部７０によりメールの書き込みが行われている間、メール書き込み通知を受信してから所定時間経過後までなど、適宜自由に設定することができる。放送画像データの縮小およびチャネルの変更が終了すると、第１処理制御部６１は、ステップＳ５０１に戻る。
【００６９】
メール書き込み通知を受信していない場合（ステップＳ５０２：ＮＯ）、第１判断部６３は、第１受信部６５が操作入力部３０からユーザによるチャネルの変更の指示を受信した否かを確認する（ステップＳ５０５）。
【００７０】
第１判断部６３によりチャネル変更が指示されたことが検出されると（ステップＳ５０５：ＹＥＳ）、第１処理制御部６１は、第１受信部６５にて受信するチャネルを変更させる（ステップＳ５０６）。すると、データ処理装置１の表示装置には、第１データ処理部６１にてデータの処理が完了し、データ表示が可能になるまで、すなわち、放送画像データが生成されるまでの間、例えば図６（ｄ）に示すように、符号ａで示す放送画像データが表示される領域にチャネル変更中の表示がされる。
【００７１】
チャネルの変更に伴って、第１判断部６３は、第１通知部６４に第２処理部７０へチャネルを変更することを意味するチャネル変更通知を通知させる（ステップＳ５０７）。チャネル変更が通知されると、第１処理制御部６１は、第１データ処理部６２に放送画像データを縮小して生成させ、通常よりも放送画像データを小さく表示させる（ステップＳ５０８）。このとき、第２処理部７０は、上記チャネル変更通知に基づいて後述するメール処理のステップＳ７０３により、メール画像データを拡大させる。したがって、データ処理装置１の表示装置には、例えば図６（ｅ）に示すように、チャネル変更中の放送画像データが縮小して表示され（符号ｃの領域）、メール画像データが拡大して表示される（符号ｄの領域）。チャネル変更を行う場合、表示画面に画像が表示されないので、ユーザは倦怠感を抱きがちである。しかしながら、本実施の形態では、ユーザがチャネル変更動作を行った場合は、ユーザが視聴していた放送データに対して興味がないと判断し、メール画像データを拡大して表示させることにより、同時並行して操作していたメール画像データの方にユーザの注意を向けさせることができるので、結果としてユーザの利便性が向上する。
【００７２】
なお、放送画像データの縮小表示を継続する時間は、例えば、チャネル変更が終了するまでなど適宜自由に設定することができる。放送画像データの縮小表示が終了すると、第１処理制御部６１は、ステップＳ５０１に戻る。
【００７３】
チャネル変更の指示を受信していない場合（ステップＳ５０５：ＮＯ）、第１判断部６３は、第１受信部６５が第２処理部７０から非表示処理通知を受信したか否かを確認する（ステップＳ５０９）。
【００７４】
第１判断部６３により非表示処理通知を受信したことが検出されると（ステップＳ５０９：ＹＥＳ）、第１処理制御部６１は、非表示処理通知に対する対応して第１データ処理部６２に放送画像データを拡大して生成させ、放送画像データを表示装置の画面全体に表示させる（ステップＳ５１０）。このように、第２処理部７０でデータ処理が行われない場合、第１処理部６０による放送画像データのみを表示装置に表示させることにより、ユーザの注目を放送画像データに向けさせることができる。これにより、ユーザは、関心のある情報を効果的に取得することができる。
【００７５】
非表示処理通知を受信していない場合（ステップＳ５０９：ＮＯ）、第１判断部６３は、第１受信部６５が操作入力部３０からユーザによる放送データ処理終了の指示を受信したか否かを確認する（ステップＳ５１１）。
【００７６】
第１判断部６３により放送データ処理終了の指示を受信したことが検出されると（ステップＳ５１１：ＹＥＳ）、第１処理制御部６１は、第１データ処理部６２に放送画像データの生成を終了させる。この終了に伴って、第１判断部６３は、第１通知部６４に第２処理部７０へ放送データ処理を終了することを意味する非表示処理通知を通知させる（ステップＳ５１２）。これにより、第１処理部６０による放送データ処理が終了する。
【００７７】
放送データ処理の終了が要求されていない場合（ステップＳ５１１：ＮＯ）、第１処理制御部６１は、ステップＳ５０１に戻り、放送データ処理を継続して行う。
【００７８】
このように、本実施の形態によれば、第２処理部７０のデータ処理の内容やチャネル変更に基づいて、放送画像データを縮小または拡大して表示したり、チャネルを変更したりすることにより、ユーザの動作、関心、注目等に配慮した情報をユーザに効果的に提供することができるので、ユーザにとって使いやすい。
【００７９】
＜メール処理＞
次に、図７を参照して、第２のデータ処理であるメール処理を行う第２処理部７０の動作について説明する。
【００８０】
ユーザの操作入力によりメール処理を要求する指示を操作入力部３０が検出すると、第２処理部７０の第２処理制御部７１は、第２データ処理部７２に指示を出し、メール画像データを生成させ、これを表示装置に表示させる（ステップＳ７０１）。このとき、第１処理部６０では、上述した放送データ処理が行われている。したがって、データ処理装置１の表示装置には、図６（ａ）に示すように、放送画像データとメール画像データとが併せて表示される。
【００８１】
メール処理動作中、第２判断部７３は、第２受信部７５が第１処理部６０からチャネル変更通知を受信したか否かを確認する（ステップＳ７０２）。
【００８２】
第２判断部７３によりチャネル変更通知を受信したことが検出されると（ステップＳ７０２：ＹＥＳ）、第２処理制御部７１は、チャネル変更通知に対する対応して第２データ処理部７２にメール画像データを拡大して生成させ、通常よりもメール画像データを大きく表示させる（ステップＳ７０３）。このとき、第１処理部６０は、上述したステップＳ５０８により、放送画像データを縮小させる。したがって、データ処理装置１の表示装置には、例えば図６（ｅ）に示すように、チャネル変更中の放送画像データが縮小して表示され（符号ｃの領域）、メール画像データが拡大して表示される（符号ｄの領域）。これにより、上述したように、ユーザの利便性を向上させることができる。
【００８３】
なお、メール画像データの拡大表示を継続する時間は、例えば、チャネル変更が終了するまでなど適宜自由に設定することができる。メール画像データの生成の拡大表示が終了すると、第２処理制御部７１は、ステップＳ７０１に戻る。
【００８４】
チャネル変更通知を受信していない場合（ステップＳ７０２：ＮＯ）、第２判断部７３は、メール処理のうちユーザが電子メール本文の作成を行うメール書き込み処理が行われるか否かを確認する（ステップＳ７０４）。
【００８５】
メール処理が行われる場合（ステップＳ７０４：ＹＥＳ）、第２判断部７３は、第２通知部７４にメール書き込み処理が行われることを示すメール書き込み通知を第１処理部６０へ通知させる（ステップＳ７０５）。この通知に基づいて、第１処理部６０は、上述したステップＳ５０３，Ｓ５０４により、放送画像データを縮小させ、チャネルを変更させる。また、第２処理制御部７１は、第２データ処理部７２にメール画像データを拡大して生成させ、表示装置に通常よりもメール画像データを大きく表示させる（ステップＳ７０６）。すると、データ処理装置１の表示装置には、例えば図６（ｅ）に示すように、チャネル変更中の放送画像データが縮小して表示され（符号ｃの領域）、メール画像データが拡大して表示される（符号ｄの領域）。このように、メールを書き込み中の場合にメール画像データを拡大して表示することにより、メール本文の文脈の把握が容易になったり、視認性が向上したり、放送画像データによりメール画像データが見づらくなるのを防いだりすることができるので、ユーザにとって使いやすい。
【００８６】
上述したメール画像データの拡大を継続する時間は、例えば、第２処理部７０によりメールの書き込みが行われている間、メール書き込み通知を受信してから所定時間経過後までなど、適宜自由に設定することができる。メール画像データの拡大が終了すると、第２処理制御部７１は、ステップＳ７０１の処理に戻る。
【００８７】
メール書き込み処理が行われていない場合（ステップＳ７０４：ＮＯ）、第２判断部７３は、第２受信部７５が第１処理部６０から非表示処理通知を受信したか否かを確認する（ステップＳ７０７）。
【００８８】
第２判断部７３により非表示処理通知を受信したことが検出されると（ステップＳ７０７：ＹＥＳ）、第２処理制御部７１は、非表示処理通知に対する対応して第２データ処理部７２にメール画像データを拡大して生成させ、メール画像データを表示装置の画面全体に表示させる（ステップＳ７０８）。このように、第１処理部６０でデータ処理が行われない場合、第２処理部７０によるメール画像データのみを表示装置に表示させることにより、ユーザの注目をメール画像データに向けさせることができる。これにより、ユーザは、関心のある情報を効果的に取得することができる。
【００８９】
なお、拡大したメール画像データの生成は、第１処理部６０による放送データ処理等が行われるまで継続して行われる。
【００９０】
非表示処理通知を受信していない場合（ステップＳ７０７：ＮＯ）、第２判断部７３は、第２受信部７５が操作入力部３０からユーザによるメール処理終了の指示を受信したか否かを確認する（ステップＳ７０９）。
【００９１】
第２判断部７３によりメール処理終了の指示を受信したことが検出されると（ステップＳ７０９：ＹＥＳ）、第２処理制御部７１は、第２データ処理部７２にメール画像データの生成を終了させる。この終了に伴って、第２判断部７３は、第２通知部７４に第１処理部６０へメール処理を終了することを意味する非表示処理通知を通知させる（ステップＳ７１０）。これにより、第２処理部７０によるメール処理が終了する。
【００９２】
メール処理終了の指示を受信していない場合（ステップＳ７１０：ＮＯ）、第２処理制御部７１は、ステップＳ７０１に戻り、メール処理を継続して行う。
【００９３】
このように、本実施の形態によれば、第１処理部６０または第２処理部によるデータ処理の内容に応じて、表示縮小、表示拡大、チャネル変更等を行うことにより、ユーザの動作、関心、注目等に配慮した情報をユーザに効果的に提供することができるので、ユーザにとって使いやすい。
【００９４】
なお、上述した第１，２の実施の形態では、２つのデータ処理を同時に行うようにしたが、同時に行うことができるデータ処理の数量は２つ限定されず、例えば、３つや４つなど適宜自由に設定することができる。この場合、例えば、第１処理部６０と第２処理部７０に加えて第３処理部や第４処理部を設けることにより実現することができる。
【００９５】
また、第１，２の実施の形態では、第２処理部７０によるデータ処理としてメール処理を行う場合を例に説明したが、第２処理部７０によるデータ処理はメール処理に限定されず、例えば、通信機能、通話機能、ブラウザ機能、ナビゲーション機能など各種データ処理を行うことができる。
【００９６】
また、第１，２の実施の形態では、第１処理部６０がテレビジョン信号に基づいて画像データを生成するようにしたが、通信回線を介してストリーミングにより受信した信号から画像データを生成するようにしてもよいし、端末内やその他着脱可能な外部メディア、通信回線を介して接続された装置などに蓄積したデータの再生によって画像データを生成するようにしてもよい。
【産業上の利用可能性】
【００９７】
本発明は、携帯電話機、ＰＤＡ(Personal Digital Assistant)、計算機、画像表示装置、ナビゲーションシステムなど、テレビジョン信号等の放送信号を受信して表示することができる各種装置に適用することができる。
【図面の簡単な説明】
【００９８】
【図１】本発明のデータ処理装置の構成を示すブロック図である。
【図２】放送データ処理を示すフローチャートである。
【図３】（ａ），（ｂ）データ処理装置の表示装置の一例を示す図である。
【図４】メール処理を示すフローチャートである。
【図５】他の放送データ処理を示すフローチャートである。
【図６】（ａ）〜（ｅ）データ処理装置の表示装置の一例を示す図である。
【図７】他のメール処理を示すフローチャートである。
【符号の説明】
【００９９】
１…データ処理装置、１０…主制御部、２０…送受信部、３０…操作入力部、４０…表示部、５０…記憶部、６０…第１処理部、６１…第１処理制御部、６２…第１データ処理部、６３…第１判断部、６４…第１通知部、６５…第１受信部、７０…第２処理部、７１…第２処理制御部、７２…第２データ処理部、７３…第２判断部、７４…第２通知部、７５…第２受信部。
【図１】
0005211436.tif 000002
【図２】
0005211436.tif 000003
【図３】
0005211436.tif 000004
【図４】
0005211436.tif 000005
【図５】
0005211436.tif 000006
【図６】
0005211436.tif 000007
【図７】
0005211436.tif 000008